(57)【要約】【課題】 糠ダンゴを刺餌、釣針及び釣糸と共に容易に遠投することができる柄杓の提供。【解決手段】この柄杓１０は、柄部１１と、柄部１１に設けられたカップ１２と、このカップ１２に設けられた仮保持部２５とを備えている。カップ１２は、糠ダンゴを収容する。仮保持部２５は、糠ダンゴから延出する釣糸を所定の保持力で仮保持する。カップ１２はフランジ１７を備えている。フランジに１７に切欠部１８が設けられている。この切欠部１８が仮保持部２５を構成している。切欠部１８の幅寸法２０は、２ｍｍ程度、長さ寸法は、５ｍｍ程度に設定される。【選択図】図２
2007195442.tif 000002
【特許請求の範囲】
【請求項１】
柄部と、
柄部の先端に設けられ、釣糸の先端部、当該先端部に設けられた釣針及び当該釣針に装着された刺餌を包んだ撒餌が収容されるカップと、
カップの先端に設けられ、上記撒餌から延出する釣糸が係合され且つ釣人が柄部を操作してカップから当該撒餌が投げられた際に当該係合が解除されるように所定の保持力で仮保持する仮保持部とを備えている釣用柄杓。
【請求項２】
上記仮保持部は、上記カップの先端から後端側へ切り込まれた切欠部からなる請求項１に記載の釣用柄杓。
【請求項３】
上記仮保持部は、
上記カップの先端に設けられた薄肉弾性板と、
当該薄肉弾性板の先端から後端へ切り込まれたスリットとを有する請求項１に記載の釣用柄杓。
【請求項４】
上記柄部の背面に設けられ、上記仮保持部によって仮保持された釣糸が上記カップの背面及び上記柄部の背面に沿って配置されるように当該釣糸を長手方向にスライド自在な状態で支持する糸支持部をさらに備える請求項１から３のいずれかに記載の釣用柄杓。
【請求項５】
上記糸保持部は、上記柄部の背面側に開口し且つ柄部の長手方向に延びるＶ字状の溝を備えている請求項４に記載の釣用柄杓。
【発明の詳細な説明】
【技術分野】
【０００１】
本発明は、本発明には、釣りの際に使用される柄杓の構造に関するものである。
【背景技術】
【０００２】
図５は、従来の一般的な撒き餌用の柄杓の要部拡大斜視図である。例えばウキ釣りでは撒き餌は欠かせないものであり、また、撒き餌が釣人の所望のポイントへ正確に投入されることが釣果に大きく影響する。撒き餌は、通常、同図が示すような柄杓１によって海中へ投入される。つまり、釣人は、カップ２に撒き餌を詰め、柄部３を把持して撒き餌を投げる。
【０００３】
柄杓１は、撒き餌が釣人の所望のポイントへ正確に投入されるために、従来から種々の改良が施されている（例えば、特許文献１〜特許文献６参照）。すなわち、柄杓は、例えば、撒き餌が遠投されるため、あるいは撒き餌が広範囲に散布されるため等、その目的に応じてカップや柄部の構造が改良されている。
【０００４】
【特許文献１】特開２００５−３０４３０９号公報
【特許文献２】特開２００５−７３６６２号公報
【特許文献３】特開２０００−１０２３３６号公報
【特許文献４】特開２０００−９３０６１号公報
【特許文献５】特開平９−１０７８５７号公報
【特許文献６】特開平９−３７６９６号公報
【発明の開示】
【発明が解決しようとする課題】
【０００５】
ターゲットとなる魚に応じて撒餌も変更され、例えば、ダンゴ状に形成された糠が撒餌として使用される場合もある。このような釣法は、いわゆる「紀州釣り」と称され、釣針に装着した刺餌が、海底に到達するまで糠ダンゴによって保護されるようになっている。この糠ダンゴは、海底に到達すると直ちに崩壊し、中から刺餌が飛び出すように形成されることが好ましい。
【０００６】
この釣法においては、撒餌としての糠ダンゴが釣針に装着された刺餌を包んでいるので、糠ダンゴがポイントに投入される際には、刺し餌、釣針及びこれに連結された釣糸が糠ダンゴに導かれるようにして飛行する。したがって、釣人にとっては、撒餌を単体で投入する場合と異なり、撒餌（糠ダンゴ）と共に飛行する釣糸を柄杓に絡まないように始末しなければならず、そのため、特に撒餌を遠投することは容易ではなかった。
【０００７】
そこで、本発明の目的は、撒餌を刺餌、釣針及び釣糸と共に容易に遠投することができる釣用柄杓を提供することである。
【課題を解決するための手段】
【０００８】
(1) 上記目的が達成されるため、本発明に係る釣用柄杓は、柄部と、柄部の先端に設けられ、釣糸の先端部、当該先端部に設けられた釣針及び当該釣針に装着された刺餌を包んだ撒餌が収容されるカップと、カップの先端に設けられ、上記撒餌から延出する釣糸が係合され且つ釣人が柄部を操作してカップから当該撒餌が投げられた際に当該係合が解除されるように所定の保持力で仮保持する仮保持部とを備えている。
【０００９】
釣人は、カップに撒餌をいれ、柄部を操作することにより当該撒餌を所望のポイントへ投入する。このとき、撒餌はダンゴ状に形成され、釣針及びこれに装着された刺餌並びに当該釣針に連結された釣糸の端部を包んでいる。この撒餌から延出された釣糸は、カップに設けられた仮保持部に仮保持されている。この仮保持部は、カップの先端に設けられているから、上記撒餌から延出された釣糸は、カップの先端側へ導かれて保持されている。したがって、釣人が柄部を操作して撒餌を投げる際に、釣糸がカップや柄部に絡まることが防止される。釣糸は仮保持部に仮保持されているだけであるから、カップから撒餌が投げ出されると、釣糸が仮保持部から外れて撒餌と共に飛行する。
【００１０】
(2) 上記仮保持部は、上記カップの先端から後端側へ切り込まれた切欠部から構成され得る。
【００１１】
この場合、上記釣糸は、切欠部に挿入される。この切欠部は上記カップの先端から後端側へ切り込まれているから、仮保持された釣糸は、カップの横方向への変位が規制される。これにより、釣糸がカップ及び柄部に絡まることが防止される。そして、カップから撒餌が投げ出されると、釣糸は直ちにが切欠部から外れて撒餌と共に飛行する。
【００１２】
(3) 上記仮保持部は、上記カップの先端に設けられた薄肉弾性板と、当該薄肉弾性板の先端から後端へ切り込まれたスリットとを有して構成され得る。
【００１３】
この場合、上記釣糸は、薄肉弾性板に設けられたスリットに挿入される。このスリットの幅寸法が調整されることにより、釣糸を保持するための保持力が調整され得る。このスリットは上記カップの先端から後端側へ切り込まれているから、仮保持された釣糸は、カップの横方向への変位が確実に規制され、釣糸がカップ及び柄部に絡まることが効果的に防止される。そして、カップから撒餌が投げ出されると、釣糸は直ちにが切欠部から外れて撒餌と共に飛行する。
【００１４】
(4) また、上記柄部の背面に設けられ、上記仮保持部によって仮保持された釣糸が上記カップの背面及び上記柄部の背面に沿って配置されるように当該釣糸を長手方向にスライド自在な状態で支持する糸支持部がさらに設けられていてもよい。
【００１５】
この構成では、カップに収容された撒餌から延出された釣糸は、上記仮保持部によって仮保持された後、反転して当該カップの背面及び上記柄部の背面に沿って配置され、この状態で糸支持部によって支持される。つまり、上記釣糸は、カップから柄部に沿って配置されるので、当該釣糸がカップ及び柄部に絡まることが一層効果的に防止される。
【００１６】
(5) 上記糸保持部は、上記柄部の背面側に開口し且つ柄部の長手方向に延びるＶ字状の溝を備えているのが好ましい。
【００１７】
上記釣糸は、上記Ｖ字状の溝に挿入され支持される。この溝は、上記柄部の背面側に開口し且つ柄部の長手方向に延びるから、撒餌がカップから飛び出したときは、釣糸は、直ちに撒餌に追従することができる。
【発明の効果】
【００１８】
本発明によれば、撒餌から延出された釣糸が仮保持部によって仮保持されているから、釣人が柄部を操作して撒餌を投げる際に、釣糸がカップや柄部に絡まることが防止される。その結果、釣人は、撒餌を投げる際に柄部を自由に操作することができ、撒餌の遠投を容易に行うことができる。
【発明を実施するための最良の形態】
【００１９】
以下、適宜図面が参照されつつ、好ましい実施形態に基づいて本発明が詳細に説明される。
【００２０】
図１は、本発明の一実施形態に係る釣用柄杓の正面図である。また、図２は、本発明の一実施形態に係る釣用柄杓の要部拡大斜視図である。
【００２１】
この柄杓１０（釣用柄杓）は、いわゆる紀州釣りの際に好適に使用され、具体的には、釣人は、刺餌を包んだ糠ダンゴを遠投する際に、この柄杓１０を使用する。柄杓１０は、柄部１１と、柄部１１に設けられたカップ１２と、このカップ１２に設けられた仮保持部２５（図２参照）とを備えている。本実施形態に係る柄杓１０の特徴とするところは、カップ１２に仮保持部２５が設けられている点であり、釣人が糠ダンゴを投げる際に釣糸２６が仮保持部２５に仮保持されることによって、釣糸２６がカップ１２や柄部１１に絡まないようになっている。
【００２２】
カップ１２は、樹脂（典型的には、ポリプロピレン（ＰＰ）、アクリロニトリルブタジエンスチレン共重合体（ＡＢＳ））又は金属（典型的には、チタニウム、アルミニウム、ステンレス鋼）により構成される。図１及び図２が示すように、カップ１２は、開口１９を有する器状に形成されている。詳述すれば、カップ１２は、本体１５と、柄部１１が連結される連結部１６とを備えている。本体１５は、全体として二分割された卵形に形成されている。本体１５の内壁面１４は、上記開口１９に連続する凹面状に形成されている。この内壁面１４が本体１５内部に餌収容部１３を区画形成している。この餌収容部１３に、内径が３５ｍｍ〜１００ｍｍの球状に形成された糠ダンゴが収容安定的に収容されるようになっている。なお、カップ１１の外形形状は、略卵形に限定されるものではなく、他の形状であってもよい。
【００２３】
上記カップ１２の開口１９の周縁部にフランジ１７が設けられている。そして、このフランジ１７の先端部、すなわちカップ１２の先端に上記仮保持部２５が設けられている。本実施形態では、この仮保持部２５は、フランジ１７に形成された切欠部１８により構成されている。この切欠部１８は、図２が示すようにカップ１２の先端から切り込まれ、後端側へ延びている。この切欠部１８の幅寸法２０は、２ｍｍ〜５ｍｍに設定され、また、切欠部１８の長さ寸法２１は、４ｍｍ〜１０ｍｍに設定される。ただし、この切欠部１８は、カップ１２の先端から上記開口１９の近傍まで切り込まれているのが好ましい。また、この切欠部１８は、カップ１２の先端から本体１５に至るまで切り込まれていてもよい。
【００２４】
カップ１１の連結部１６は、上記本体１５の後端３１に連続し、当該後端３１から後方に突出するように設けられている。この連結部１６は、本実施形態では円筒状を呈しており、その内径寸法は、上記柄部１１の先端部の外形寸法に対応されている。上記柄部１１は、図２が示すように、上記連結部１６に挿入され、固定されている。
【００２５】
柄部１１は、棒状に形成されている。本実施形態では、柄部１１の長さ寸法は、３００ｍｍ〜８００ｍｍの範囲で設定される。前述のように、柄部１１の先端部は、カップ１２の連結部１６に嵌め込まれており、例えば接着剤等により固着されている。柄部１１をカップ１２に固着する手段は、接着剤に代えて他の既知の手段が種々採用され得る。なお、柄部１１は、樹脂や金属等からなる中実棒のほか、例えばカーボンプリグレグが巻回されて中空棒状に形成されたもの等、既知の様々な構造が採用され得る。また、図１が示すように、柄部１１の他端部には、グリップ２２が設けられている。このグリップ２２は、釣人が把持する部分であって、例えば発泡樹脂やゴム等、いわゆる滑止効果の高い材料から構成され得る。もっとも、このグリップ２２は、省略されていてもよい。
【００２６】
図３は、本発明の一実施形態に係る釣用柄杓の要部拡大斜視図であって、柄部１１の後端部の構造が詳細に図示されている。
【００２７】
図１及び図３が示すように、柄部１１の上記グリップ２２の近傍に糸支持部２３が設けられている。この糸支持部２３は、固定環２７と、支持板２８とを備えている。これらは樹脂又は金属により一体的に形成されている。糸支持部２３を構成する樹脂としては、典型的には、ポリプロピレン（ＰＰ）、アクリロニトリルブタジエンスチレン共重合体（ＡＢＳ）が採用され、また、糸支持部２３を構成する金属としては、典型的には、アルミニウム、ステンレス鋼、真鍮が採用される。
【００２８】
固定環２７は、柄部１１に嵌め込まれて固定されている。固定環２７は、例えば接着剤により柄部１１に固定される。支持板２８は、矩形の板状を呈し、固定環２７の中央部に径方向に突出するように配置されている。具体的には、図１が示すように、支持板２８は、柄部１１の背面側（カップ１２の背側）に突出するように設けられている。また、図３が示すように、支持板２８に溝２９が設けられている。この溝２９は、Ｖ字状に形成されており、支持板２８の先端３０に開口が形成されている。この溝２９は、支持板２８の肉厚方向（矢印３２の方向）に延びている。本実施形態では、支持板２８の肉厚寸法が小さいが、支持板２８の肉厚寸法が大きく設定されてもよい。
【００２９】
本実施形態に係る柄杓１０は、次のようにして使用される。
【００３０】
釣人は、釣針に刺餌を付け、これを糠ダンゴで包む。これにより、この刺餌、釣針及びこの釣針に結びつけられた釣糸の端部が当該糠ダンゴで被われる。図１が示すように、釣人は、この糠ダンゴ３４をカップ１２に入れ、柄部１１を操作することにより糠ダンゴ３４を所望のポイントへ投入する。このとき、糠ダンゴ３４から延出した釣糸２６は、カップ１２に設けられた仮保持部２５に引っ掛けられ、仮保持される。この仮保持部２５は、カップ１２の先端に設けられているから、糠ダンゴ３４から延出された釣糸は、カップの先端側へ導かれて保持されている。したがって、釣人が柄部１１を操作して糠ダンゴを投げる際に、釣糸２６がカップ１２や柄部１１に絡まることが防止される。釣糸２６は仮保持部２５に引っ掛けられ、仮保持されているだけであるから、カップ１２から糠ダンゴ３４が投げ出されると、釣糸２６は仮保持部２５から直ちに外れて糠ダンゴ３４と共に飛行する。
【００３１】
特に本実施形態では、上記仮保持部２５がカップ１２に設けられた切欠部１８から構成されるので、糠ダンゴ３４から延出した釣糸２６は、そのままストレスなく切欠部１８に挿入される。切欠部１８に仮保持された釣糸は、カップ１２の横方向への変位が規制される。これにより、釣人が糠ダンゴ３４を投げる際に、釣糸２６がカップ１２及び柄部１１に絡まることが防止される。そして、カップ１２から糠ダンゴ３４が投げ出されると、釣糸２６は直ちに切欠部１８から外れて糠ダンゴ３４と共に飛行する。
【００３２】
このように、糠ダンゴ３４の投入の際に、糠ダンゴ３から延出した釣糸２６がカップ１２や柄部１１に絡まることが防止されるので、釣人は、糠ダンゴ３４を投げる際に柄部１１を所望の力で自由に操作することができ、糠ダンゴ３４の遠投も容易に行うことができる。
【００３３】
さらに、本実施形態では、柄部１１に糸支持部２３が設けられている。このため、糠ダンゴ３４から延出した釣糸２６は、仮保持部２５によって仮保持された後、図１が示すように反転し、カップ１２の背面及び柄部１１の背面に沿って配置される。そして、この状態で、釣糸２６が糸支持部２３によって支持される。具体的には、図３が示すように、釣糸２６は、支持板２８の溝２９に挿入され支持される。この溝２９は、柄部１１の背面側に開口し、矢印３２の方向（柄部１１の長手方向）に延びるから、糠ダンゴ３４がカップ１２から飛び出したときは、釣糸２６は、支持板２８に対して相対的にスライドし、飛行する糠ダンゴ３４に追従する。つまり、釣糸２６は、カップ１２から柄部１１に沿って配置され、柄部１１の長手方向にスライド自在な状態で支持されるので、釣人が糠ダンゴ３４を投げる際に、釣糸２６がカップ１２や柄部１１に絡まることが一層効果的に防止される。
【００３４】
次に、本実施形態の変形例について説明される。
【００３５】
図４は、本発明の一実施形態の変形例に係る釣用柄杓の要部拡大正面図である。
【００３６】
本変形例に係る柄杓４０が上記実施形態に係る柄杓１０と異なるところは、上記実施形態では、仮保持部２５がカップ１２のフランジ１７に設けられた切欠部１８により構成されていたのに対し（図２参照）、本変形例では、カップ１２のフランジ１７の先端にゴム板４１（薄肉弾性板）が設けられ、このゴム板４１にスリット４２が形成されており、このゴム板４１によって仮保持部２５が構成されている点である。なお、その他の構成については、上記実施形態と同様である。
【００３７】
ゴム板４１は、本変形例では、略三角形状に形成されており、その肉厚寸法は、１ｍｍ〜３ｍｍに設定される。ゴム板４１の外縁は、滑らかな曲線に沿って形成されており、これにうより、釣糸２６の引っ掛かりが防止されている。なお、ゴム板４１の外形形状は特に限定されるものではなく、三角形のほか種々の形状に形成され得る。また、上記スリット４２は、ゴム板４１の先端４３から後端側へ切り込まれている。このスリット４２の幅寸法４４は微小であるが、特に１ｍｍ〜４ｍｍ程度に設定され得る。また、スリット４２の長さ寸法４５は、４ｍｍ〜８ｍｍ程度に設定され得るが、本変形例のように、スリット４２は、カップ１２のフランジ１７に達するまで切り込まれているのが好ましい。
【００３８】
本変形例に係る柄杓１０では、上記釣糸２６は、上記ゴム板４１に設けられたスリット４２に挿入される。これにより、釣糸２６は、所定の保持力でゴム板４１に仮保持される。なお、スリット４２の幅寸法４４が調整されることにより、釣糸２６を保持するための保持力が調整され得る。スリット４２はカップ１２の先端から後端側へ切り込まれているから、スリット４２に仮保持された釣糸２６は、カップ１２の横方向への変位が確実に規制される。
【００３９】
釣糸２６は、スリット４２によって仮保持されているだけであるから、カップ１２から糠ダンゴ３４が投げ出されると、釣糸２６は直ちに上記スリット４２から外れる。しかも、このスリット４２はゴム板４１に設けられているから、糠ダンゴ３４が投げられる際にゴム板４１が容易に変形する。このため、釣糸２６は確実にスリット４２から外れ、飛行する糠ダンゴ３４に追従する。したがって、本変形例においても、釣人が糠ダンゴ３４を投げる際に、釣糸２６がカップ１２や柄部１１に絡まることが効果的に防止される。
【００４０】
本変形例では、仮保持部２５がゴム板４１により構成されているが、ゴム板４１に代えて弾性に優れる樹脂フィルム等が採用されてもよい。要するに、弾性に優れ、釣糸２６を所定の保持力で仮保持できるものでれば、特に材料は限定されない。
【産業上の利用可能性】
【００４１】
本発明は、撒餌としての糠ダンゴを遠投する釣用柄杓に適用され得る。
【図面の簡単な説明】
【００４２】
【図１】図１は、本発明の一実施形態に係る釣用柄杓の正面図である。
【図２】図２は、本発明の一実施形態に係る釣用柄杓の要部拡大斜視図である。
【図３】図３は、本発明の一実施形態に係る釣用柄杓の要部拡大斜視図である。
【図４】図４は、本発明の一実施形態の変形例に係る釣用柄杓の要部拡大正面図である。
【図５】図５は、従来の一般的な撒き餌用の柄杓の要部拡大斜視図である。
【符号の説明】
【００４３】
１０・・・柄杓
１１・・・柄部
１２・・・カップ
１５・・・本体
１７・・・フランジ
１８・・・切欠部
１９・・・開口
２０・・・幅寸法
２１・・・長さ寸法
２３・・・糸支持部
２５・・・仮保持部
２６・・・釣糸
２８・・・支持板
２９・・・溝
３０・・・先端
３４・・・糠ダンゴ
４０・・・柄杓
４１・・・ゴム板
４２・・・スリット
４３・・・幅寸法
４４・・・長さ寸法
【図１】
2007195442.tif 000003
【図２】
2007195442.tif 000004
【図３】
2007195442.tif 000005
【図４】
2007195442.tif 000006
【図５】
2007195442.tif 000007